(57)【要約】      （修正有）【課題】安全性や衛生的に優れ、錯誤捕獲を少なくすることができる有害鳥獣の駆除を目的とした捕獲器を提供する。【解決手段】捕獲器１は、横向きに開口端１２を有した捕獲部１０と、捕獲部１０の内側に括り輪保持部１５で取り付けられる括り輪２０と、括り輪２０を作動させる作動機構収納部３０と、作動機構収納部３０に納められた伸びた状態の弾性体３２と、伸びた弾性体３２の保持及び解除をさせる引き金部４０と、引き金部４０と餌６とを接続する索５１と、括り輪２０と弾性体３２とを結ぶ引張索２３と、引張索２３の途中で分岐して外部に固定する固定用索２４とが備えられている。【選択図】図１
0003191629.tif 000002
【実用新案登録請求の範囲】
【請求項１】
横向きに開口端を有した捕獲部と、
前記捕獲部の内側に括り輪保持部で取り付けられる括り輪と、
前記括り輪を作動させる作動機構収納部と、
前記作動機構収納部に納められた伸びた状態の弾性体と、
前記伸びた状態の弾性体の保持及び解除をさせる引き金部と、
前記捕獲部の内部に置かれた餌と前記引き金部とを接続する接続索と、
前記括り輪と前記弾性体とを結ぶ引張索と、
前記引張索の途中で分岐して外部に固定する固定用索と、
が備えられている捕獲器。
【請求項２】
前記捕獲部の開口端には開口端を塞ぐ蓋と、
前記蓋を所定の場合に開閉できる手段が設けられている
請求項１記載の捕獲器。
【考案の詳細な説明】
【技術分野】
【０００１】
本考案は、安全性や衛生的に優れ、錯誤捕獲を少なくすることができる有害鳥獣の駆除を目的とした有害鳥獣の捕獲器に関する。
【背景技術】
【０００２】
近年、農村においては過疎化が進み、里山の荒廃などにより、猿やカラス等の有害鳥獣が民家の近くや、田畑まで降りており被害が甚大になっている。また、農村は高齢化が進み有害鳥獣を駆除しようとしても、技術や体力が必要な方法によって捕獲することは、高齢化した人達では有害鳥獣の駆除が難しいという問題があった。
【０００３】
一方、有害鳥獣であっても、適正な保護が求められており、鳥獣を無差別に捕獲することは法律によってできないとされている。さらには、捕獲対象とされた鳥獣以外の鳥獣のみならず、幼児、飼育動物等に誤って捕獲の動作が行われ難くして安全に使用できる必要があった。
【先行技術文献】
【特許文献】
【０００４】
【特許文献１】実用新案登録第３１４０００６号公報
【考案の概要】
【考案が解決しようとする課題】
【０００５】
従来例としては、特許文献１に記載されたものがあり、特許文献１の猿罠は、上部に開口部を有し、開口部から内部に仕掛けた餌を、猿が手を入れて餌を取ろうとＹ字型ロープに触れるとリングが働いてピンが外れて猿の手を括って猿を捕獲するもであった。
【０００６】
特許文献１の猿罠においては、上部に開口部が設けられていることから、誤って幼児等に怪我をさせるという問題があった。また、猿だけではなく飼い犬や猪鹿等においても誤って捕獲されるという問題があった。さらには、内部に雨水が入って来て、餌や内部の装置が痛むという問題があった。
【課題を解決するための手段】
【０００７】
上記の課題を解決するため、本考案では、次の技術的手段を講じている。
【０００８】
第１考案の捕獲器は、横向きに開口端を有した捕獲部と、前記捕獲部の内側に括り輪保持部で取り付けられる括り輪と、前記括り輪を作動させる作動機構収納部と、前記作動機構収納部に納められた伸びた状態の弾性体と、前記伸びた状態の弾性体の保持及び解除をさせる引き金部と、前記捕獲部の内部に置かれた餌と前記引き金部とを接続する接続索と、前記括り輪と前記弾性体とを結ぶ引張索と、前記引張索の途中で分岐して外部に固定する固定用索と、が備えられている。
【０００９】
第２考案の捕獲器は、第１の考案において、前記捕獲部の開口端には開口端を塞ぐ蓋と、
前記蓋を所定の場合に開閉できる手段が設けられている。
【考案の効果】
【００１０】
以上のような、技術的手段を有することにより、以下の効果を有する。
【００１１】
第１考案によれば、横向きに開口端を有した捕獲部と、前記捕獲部の内側に括り輪保持部で取り付けられる括り輪と、前記括り輪を作動させる作動機構収納部と、前記作動機構収納部に納められた伸びた状態の弾性体と、前記伸びた状態の弾性体の保持及び解除をさせる引き金部と、前記捕獲部の内部に置かれた餌と前記引き金部とを接続する接続索と、前記括り輪と前記弾性体とを結ぶ引張索と、前記引張索の途中で分岐して外部に固定する固定用索と、が備えられていることで、誤って幼児等に怪我をさせ難いものとなり、また、飼い犬や猪鹿等が誤って踏み込むことによる錯誤捕獲がされ難くなる。さらには、内部に雨水が入り難くなり、内部に設けた餌が腐敗することを防ぐことができる。
【００１２】
第２考案によれば、第１考案の効果に加え、前記捕獲部の開口端には開口端を塞ぐ蓋と、前記蓋を所定の場合に開閉できる手段が設けられていることで、時間帯や、周囲の明るさ等により行動する時間が限定される有害鳥獣を選択的に捕獲することができる。そして、選択して捕獲することが可能になることにより、錯誤により捕獲器が作動する危険性を低減させることができる。
【図面の簡単な説明】
【００１３】
【図１】本考案の実施例１に係る捕獲器１の外観図である。
【図２】本考案の実施例１に係る捕獲器１の構成を示すための模式図である。
【図３】本考案の実施例１に係る捕獲器１の括り輪についての説明図である。
【図４】本考案の実施例１に係る捕獲器１への括り輪の取り付け方法についての説明図である。
【図５】本考案の実施例１に係る捕獲器１の引き金部の動作についての説明図である。
【図６】本考案の実施例２に係る捕獲器２の蓋が開けられた状態の外観図である。
【図７】本考案の実施例２に係る捕獲器２の蓋が閉じられた状態の外観図である。
【考案を実施するための形態】
【００１４】
考案を実施する形態について、図面に基づいて具体的に説明する。
【実施例１】
【００１５】
本考案の捕獲器１の全体的な構成について図１を用いて説明する。図１は捕獲器１に餌６が取り付けられ、餌６を開口端１２の方向に引っ張ると、括り輪２０が引き絞られる状態、言い換えるならば、所謂捕獲器１で有害鳥獣を捕獲できる状態に設置した場合の外観図である。捕獲器１は、外観上は大きく分けると捕獲部１０と作動機構収納部３０とに分けられる。捕獲部１０の内部には餌取付索５１が結び付けられた餌６が置かれている。また、捕獲部１０の内部には括り輪保持筒１５で取り付けられた括り輪２０の引張索２３が伸びており、後述する作動機構収納部３０内のバネやゴム等の弾性体３２と接続されている。
【００１６】
捕獲部１０は一方の端が開口した開口端１２を有し、樹脂、金属、木材等を材質とする筒１１で、開口端１２の反対側の端は、筒１１の上下の面を切欠き、筒１１の左右を残した二つの固定板１３か設けられている。二つの固定板１３には夫々２個の孔が開けられており、二つの固定板１３で作動機構収納部３０を左右から挟み込み、前記の２個の孔を通したネジ１４によって、捕獲部１０と作動機構収納部３０は接続されている。作動機構収納部３０の内部には、弾性体３２と引き金部４０が納められている。作動機構収納部３０の外郭は、内部に収納空間を有した樹脂、金属、木材等を材質とする枠体の収納枠３１で形成されている。図１においては省略しているが、収納枠３１には上面の開口部を覆う枠蓋３３（図７を参照。）を取り付けて、内部の収納物である弾性体３２と引き金部４０を覆い、誤って捕獲器１が作動することや、雨、ホコリ等から保護することができる。
【００１７】
引き金部４０は作動機構収納部３０の内壁３１ａに接続索４６で接続されており、弾性体３２は作動機構収納部３０の内壁３１ｂに接続されている。また、引き金部４０に弾性体３２を伸ばした状態で接続すると、伸ばされた弾性体３２は内部に弾性エネルギーを保持した状態にすることができる。また、括り輪２０に接続された引張索２３からは固定用索２４が分岐して延伸されており、立木や杭等の固定物７に取り付けられている。
【００１８】
捕獲器１の各部の関係について図２を用いて説明する。図２は図１と同様に捕獲器１に餌６が取り付けられ、捕獲器１で有害鳥獣を捕獲できる状態に各構成部材が配置されている状態を模式的に表した図である。捕獲部１０の筒１１の開口端１２には括り輪保持筒１５が差し込まれており、括り輪保持筒１５によって筒１１の内部に括り輪２０が取り付けられている。また、筒１１の内部には餌６が置かれている。餌６には、餌取付索５１が取り付けられており、餌取付索５１は作動機構収納部３０の引き金部４０と結ばれている。
【００１９】
作動機構収納部３０の内部では、引き金部４０と弾性体３２とが接続され、収納枠３１の内壁３１ａと内壁３１ｂよって弾性体３２は伸ばされた状態で保持されている。括り輪２０には、引張索２３が連接されており、引張索２３は引き金部４０と弾性体３２の接続された箇所に接続されており、引き金部４０が作動して、弾性体３２が縮む場合には、弾性体３２によって引張索２３は内壁３１ｂの方向に引かれる。各部の詳しい動作や構成については後述する。また、引張索２３には、立木や杭等の固定物７に固定された固定用索２４が接続されている。
【００２０】
括り輪２０について、図３を用いて説明する。括り輪２０は、鉄やステンレス等の針金を複数集めた所謂金属製のワイヤーであり一端には、所定の広がりを有した先端輪２１が設けられている。この先端輪２１を有したワイヤーを括り輪２０の状態にする方法について説明する。先端輪２１の近傍のワイヤーを先端輪２１の中にＵ字状にして通す。先端輪２１の輪から食み出しているＵ字部分２２に、先端輪２１が付いてない側の逆の端を通し、捕獲輪２５を作ることで、括り輪２０が出来る。
【００２１】
なお、先端輪２１の輪の大きさを変えることで、「くくりわな」における締め付け防止金具の代わりの締め付け防止が可能となる。また、Ｕ字部分２２を設けたことで、括り輪２０が締まる方向に動いた場合の緩み止めとすることができる。図３（ａ）は、括り輪２０の捕獲輪２５が広げられた状態であり、図３（ａ）の矢印Ａの方向に括り輪２０が引っ張られると、図３（ｂ）の様に捕獲輪２５締まる方向に変化する。また、図３（ｂ）のように変化した場合は、Ｕ字部分２２も締まる方向に変化することで、括り輪２０の緩み止めになる。
【００２２】
捕獲器１の筒１１内部への括り輪２０の取り付け方法について、図４を用いて説明する。
括り輪保持筒１５には、複数の保持片１６が設けられており、保持片１６に括り輪２０の捕獲輪２５を仮止めすることで、括り輪保持筒１５に括り輪２０を容易に保持できる。括り輪２０を保持した状態の括り輪保持筒１５を開口端１２に差し込むことで簡単に捕獲器１に括り輪２０を取り付けることができる。
【００２３】
保持片１６への括り輪２０の取り付け状態は、保持片１６の長さが短くて簡単に括り輪２０が保持片１６から離脱できる方法や、保持片１６柔らかい材質であり、外力が加わると簡単に変形する等の方法により、括り輪保持筒１５から、括り輪２０は容易に離脱できる構造となっている。
【００２４】
引き金部４０について、図５を用いて説明する。引き金部４０の各部について図５（ａ）を用いて説明する。引き金部４０は、枠４１、引き金４３、留め具４５からなる。枠４１は、金属、樹脂、木材等の適等な強度を有しており、中央に略角孔が開けられた略ロの字（方形）状に形成されている。枠４１を形成する四つの辺４１ａ、４１ｂ、４１ｃ、４１ｄであり、辺４１ａは収納枠３１の内面３１ａと接続索４６によって取り付けられている。
【００２５】
辺４１ｂの中央部にはネジやリベット等の回転可能な取付手段４４で一端が軸支された引き金４３が取り付けられている。引き金４３の他端は、辺４１ｂと対向する辺４１ｄの下側で押さえられる様に保持され、引き金４３の他端の先端は、辺４１ｄから食み出している。引き金４３の辺４１ｄから食み出している箇所には孔４３ｂが開けられている。孔４３ｂには餌取付索５１が取り付けられている。引き金４３の中央部と枠４１の辺４１ｃの中央部には留め具４５の両端が手前側に引っ張っても外れない状態で取り付けられている。留め具４５の略中央部には孔４５ｂが開けられており、孔４５ｂには引き伸ばされた状態の弾性体３２の一端に接続する接続索４７が取り付けられている。
【００２６】
図５（ａ）の状態で、餌６が有害鳥獣によって開口端１２の方向に引っ張られる状態における引き金部４０の動作について説明する。餌６が引っ張られると、餌６に結ばれている餌取付索５１が引っ張られることになる。この状態の説明図が図５（ｂ）と図５（ｃ）である。図５（ｂ）において、餌取付索５１は矢印Ｂの方向に引っ張られることになるので、引き金４３は、回転可能な取付手段４４を支点として矢印Ｂの方向に動く。すると、引き金４３により押さえつける様に保持されていた側の留め具４５の一端は、引き金４３の重なりの部分が少なくなる。
【００２７】
そして、図５（ｃ）の様に、引き金４３が重なることによって留め具４５を押さえていた重なりが完全に無くなると、留め金４５は引き伸ばされている状態の弾性体３２によって引き金部４０から離脱する。これにより、引き伸ばされている弾性体３２は元の長さに戻ろうとして動き、弾性体３２に繋がっている引張索２３も作動機構収納部３０の内部に引っ張られることで、括り輪２０が締まる方向に動き、捕獲器１は作動する。
【実施例２】
【００２８】
本考案の実施例２である捕獲器２について図６および図７を用いて説明する。捕獲器２は、実施例１の捕獲器１に可動蓋部６０が追加されたものである。よって、実施例２である捕獲器２の捕獲部１０、括り輪２０、作動機構収納部３０や引き金部４０等については、実施例１の捕獲器１と同一であるので、同一の符号を付けて説明を省略する。なお、図６については捕獲器２の蓋６１が開けられた状態の外観図であり、図７については捕獲器２の蓋６１が綴じられた状態の外観図である。また、図７においては、作動機構収納部３０の収納枠３１には、枠蓋３３が取り付けられており、図６のおいては、枠蓋３３は取り外されている。
【００２９】
図６および図７の捕獲器２の可動蓋部６０は、樹脂、金属、木材等の材質の蓋６１がヒンジ６３によって捕獲部１０の筒１１の開口端１２側に取り付けられている。ヒンジ６３で蓋６１が取り付けられていることで、蓋６１は開口端１２の開閉自在行える。蓋６１には、腕６２の一端が取り付けられている。腕６２の他端には移動コマ６５を介してネジ棒６４が貫通している。ネジ棒６４には、雄ネジが切られており、移動コマ６５にはネジ棒６４の雄ネジに嵌合する雌ネジが設けられている。
【００３０】
ネジ棒６４が回転すると、腕６２で回転することを規制されている移動コマ６５はネジ棒６４の周囲において、ネジ棒６４の長手方向に移動する。移動コマ６５が移動することによって腕６２も移動し、同時に蓋６１もヒンジ６３を支点として動くことで、開口端１２における蓋６１の開閉が可能となる。
【００３１】
ネジ棒６４には、電動モーター等のネジ棒６４を回転させる駆動手段６６が接続されている。駆動手段６６には、給電手段及び給電を制御する制御手段６７が電気的に接続されている。制御手段６７の内部には、２４時間タイマーや光センサー等が設けられており、蓋６１の動きを時間や明るさ等によって制御可能となっている。この制御手段６７により捕獲器２の捕獲する時間を所定の条件に制御することができる。
【００３２】
この捕獲する時間を所定の条件とすることで、一日における時間帯により行動する時間帯がほぼ決まっている有害鳥獣に対してや、昼行性有害鳥獣または夜行性有害鳥獣等に対して任意に選択することが可能となり、選択された有害鳥獣だけを捕獲対象と限定することが可能となる。そして、不要な時間に捕獲器２の開口端１２が閉じられていることから、錯誤捕獲が起きる危険性を減じることが可能となる。
【００３３】
以上、本考案について、実施例に基づき説明してきたが、本考案は何らこれらの実施例の構成に限定するものではない。例えば、括り輪２０の構造については締め付け防止金具を別に設ける方法によっても実施可能である。
【産業上の利用可能性】
【００３４】
本考案の捕獲器は、金属や樹脂等の部材により構成された機器であり、量産することも可能であることから産業上の利用性はある。
【符号の説明】
【００３５】
１、２：捕獲器
６：餌
７：固定物
１０：捕獲部１０
１１：筒
１２：開口端
１３：固定板
１４：ネジ
１５：括り輪保持筒
１６：保持片
２０：括り輪
２１：先端輪
２２：Ｕ字部分
２３：引張索
２４：固定用索
２５：捕獲輪
３０：作動機構収納部
３１：収納枠
３１ａ、３１ｂ：内壁
３２：弾性体
３３：枠蓋
４０：引き金部
４１：枠
４２：枠取付索
４３：引き金
４４：取付手段
４５：留め金
４６、４７：接続索
５１：餌取付索
６０：可動蓋部
６１：蓋
６２：腕
６３：ヒンジ
６４：ネジ棒
６５：移動コマ
６６：駆動手段
６７：制御手段
【図１】
0003191629.tif 000003
【図２】
0003191629.tif 000004
【図３】
0003191629.tif 000005
【図４】
0003191629.tif 000006
【図５】
0003191629.tif 000007
【図６】
0003191629.tif 000008
【図７】
0003191629.tif 000009